(57)【要約】  【課題】直接冷却方式にて冷却される冷蔵室と、間接冷却方式にて冷却される冷凍室と、それ以外の保温室を備えたものにおいて、保温室に収納された野菜等の残留農薬の除去を促進させ、効率的にオゾンを発生させ、安定性した状態でオゾン発生装置を設置できる冷蔵庫を提供する。  【解決手段】吐出口３５より吐出された冷気は、保温ケース３２を覆う蓋７２上を流れ、仕切り板９に配置されているオゾン発生装置７０により発生したオゾンは、この冷気に含有され蓋孔７１より保温ケース３２に流れ込み、保温ケース３２に収納された野菜等の残留農薬の除去を促進させることができる。そして、吐出口３５より吐出された冷気は比較的低温であり、この雰囲気温度内にオゾン発生装置７０は設置されているので効率的にオゾンを発生させることができる。【選択図】図１
2010054092.tif 000002
【特許請求の範囲】
【請求項１】
直接冷却方式にて冷却される冷蔵室と、間接冷却方式にて冷却される冷凍室と、それ以外の保温室を備えたものにおいて、冷凍室と繋がるダクトと、冷気の吐出吸込口と、ダクト内にダンパーを設けた風路を構成し、保温室内の保温室ケースの上面開口部を覆う蓋と蓋上部に沿った冷気流路にオゾン発生装置を冷蔵室と保温室を仕切る仕切り板に配し、蓋に蓋孔部を形成したことを特徴とする冷蔵庫。
【請求項２】
蓋孔部を複数形成したことを特徴とする請求項１に記載の冷蔵庫。
【請求項３】
保温室ケースの側面部にケース孔部を形成したことを特徴とする請求項１または２に記載の冷蔵庫。
【請求項４】
ケース孔部を複数形成したことを特徴とする請求項１から３のいずれか一項に記載の冷蔵庫。
【請求項５】
蓋の両側部に保温室ケースの両側面を覆う下フランジを形成したことを特徴とする請求項１から４のいずれか一項に記載の冷蔵庫。
【請求項６】
蓋上側に上フランジを形成したことを特徴とする請求項５に記載の冷蔵庫。
【請求項７】
蓋孔部はシャッター式で開閉可能としたことを特徴とする請求項１から６のいずれか一項に記載の冷蔵庫。
【発明の詳細な説明】
【技術分野】
【０００１】
本発明は、直接冷却方式にて冷却される冷蔵室と、間接冷却方式にて冷却される冷凍室と異なる野菜室を有し、オゾン発生装置を搭載した冷蔵庫に関するものである。
【背景技術】
【０００２】
従来、この種の冷蔵庫は、庫内壁やトレー等の収納部材の汚染に伴い、これら部材表面で細菌や真菌が繁殖しやすくなる。また、昨今、食品の安全が社会的な注目を集める中、野菜等に付着した残留農薬に対する関心も高くなってきている（例えば、特許文献１参照）。
【０００３】
以下、図面を参照しながら上記従来の冷蔵庫を説明する。
【０００４】
図４は、特許文献１に記載された従来の冷蔵庫の概略断面図を示すものである。図４に示すように、従来の冷蔵庫は、上から冷蔵室１１２、野菜室１１４、冷凍室１１６、１１８を有する冷蔵庫である。
【０００５】
冷蔵室１１２と野菜室１１４は互いに連通されて、後方のダクト１２０内に配した１組の冷却器１２２及びファン１２４により冷却されるようになっている。すなわち、冷蔵室１１２と野菜室１１４はダクト１２０とともに１つの冷却器１２２により冷却される冷蔵温度帯の冷蔵ゾーン１２６を構成している。
【０００６】
冷凍室１１６、１１８は、その後方のダクト１２８内に配した１組の冷却器１３０及びファン１３２により上記冷蔵ゾーン１２６とは独立して冷却されるようになっている。すなわち、冷凍室１１６、１１８は、ダクト１２８とともに、上記冷蔵ゾーン１２６よりも低い冷凍温度帯の冷凍ゾーン１３４を構成しており、この冷凍ゾーン１３４は、冷蔵ゾーン１２６とは冷気が互いに循環しないように独立して設けられている。
【０００７】
そして、オゾン発生装置１３６が冷蔵ゾーン１２６における野菜室１１４内に配置されている。詳細には、野菜室１１４には、野菜を収納するための上方に開口する野菜容器１５１が配され、この野菜容器１５１の上面開口を覆う蓋１５２の上面にオゾン発生装置１３６が配置されている。この蓋１５２の上面は、冷気が流れる冷気流路となっており、オゾン発生装置１３６はこの冷気流路に配置されている。
【特許文献１】特開２００１−９１１４６号公報
【発明の開示】
【発明が解決しようとする課題】
【０００８】
しかしながら、上記従来の構成では、オゾン発生装置は冷蔵ゾーンにある野菜室に配置されているおり、冷蔵室内を循環した後の比較的高温の冷気雰囲気内でオゾンを発生させなければならず、オゾンの発生効率が低下してしまう。また、オゾン発生装置を野菜容器の蓋上に配置しており、設置安定性、組立性、清掃性に劣るという欠点を有していた。
【０００９】
本発明は従来の課題を解決するもので、独立した保温室内にオゾン発生装置を配置することにより、比較的低温雰囲気内で効率良くオゾンを発生させ、野菜に付着した残留農薬の除去を促進させ安全な食品提供に寄与し、さらに、オゾン発生装置の設置安定性、取付け組立性、野菜容器の蓋の清掃性を向上させた冷蔵庫を提供することを目的とする。
【課題を解決するための手段】
【００１０】
上記従来の課題を解決するために、本発明の冷蔵庫は、直接冷却方式にて冷却される冷蔵室と、間接冷却方式にて冷却される冷凍室と、それ以外の保温室を備えたものにおいて、間接冷却方式にて冷却される冷凍室に繋がるダクトと、冷気の吐出吸込口と、ダクト内にダンパーを設けた風路を構成し、保温室内の保温室ケースの上面開口部を覆う蓋と蓋上部に沿った冷気流路にオゾン発生装置を有したものである。
【００１１】
これによって、ダクト内にあるダンパーの設定温度（動作温度）範囲内で冷気量をコントロールし、比較的低温雰囲気内で効率良くオゾンを発生させ、野菜に付着した残留農薬の除去を促進させ安全な食品提供に寄与ができる。
【００１２】
また、本発明の冷蔵庫は、保温室内の保温室ケースの上面開口部を覆う蓋と蓋上部に沿った冷気流路にオゾン発生装置を冷蔵室と保温室を仕切る仕切り板に配置したものである。
【００１３】
これによって、オゾン発生装置の設置安定性、取付け組立性、野菜容器の蓋の清掃性を向上させることができる。
【発明の効果】
【００１４】
本発明の冷蔵庫は、直接冷却方式にて冷却される冷蔵室と、間接冷却方式にて冷却される冷凍室と、それ以外の保温室を備えたものにおいて、比較的低温雰囲気内で効率良くオゾンを発生させ、野菜に付着した残留農薬の除去を促進させ安全な食品提供に寄与ができる。
【発明を実施するための最良の形態】
【００１５】
請求項１に記載の発明は、直接冷却方式にて冷却される冷蔵室と、間接冷却方式にて冷却される冷凍室と、それ以外の保温室を備えたものにおいて、冷凍室と繋がるダクトと、冷気の吐出吸込口と、ダクト内にダンパーを設けた風路を構成し、保温室内の保温室ケースの上面開口部を覆う蓋と蓋上部に沿った冷気流路にオゾン発生装置を冷蔵室と保温室を区画する区画壁に配し、蓋に蓋孔部を形成したことにより、比較的低温雰囲気内でオゾンを効率良く発生させることができ、蓋孔部よりオゾンを含んだ冷気が保温室ケース内に流れ込み、収納食品である野菜等に付着した残留農薬の除去促進ができる。また、オゾン発生装置の設置安定性、取付け組立性、保温ケースの蓋の清掃性を向上させることができる。
【００１６】
請求項２に記載の発明は、請求項１に記載の発明において、蓋孔部を複数形成したことにより、より効率的にオゾンを含んだ冷気を保温室ケース内に流れ込ますことがき、効率良く収納食品である野菜等に付着した残留農薬の除去促進ができる。
【００１７】
請求項３に記載の発明は、請求項１または請求項２に記載の発明において、保温室ケースの側面部にケース孔部を形成したことにより、ケース孔部よりオゾンを含んだ冷気が保温室ケース内に流れ込み、収納食品である野菜等に付着した残留農薬の除去促進ができる。
【００１８】
請求項４に記載の発明は、請求項１から３のいずれか一項に記載の発明において、ケース孔部を複数形成したことにより、より効率的にオゾンを含んだ冷気を保温室ケース内に流れ込ますことがき、効率良く収納食品である野菜等に付着した残留農薬の除去促進ができる。
【００１９】
請求項５に記載の発明は、請求項１から４のいずれか一項に記載の発明において、蓋の両側部に保温室ケースの両側面を覆う下フランジを形成したことにより、保温室ケースと蓋との密閉度が上がり冷却効率が向上する。
【００２０】
請求項６に記載の発明は、請求項５に記載の発明において、蓋上側に上フランジを形成したことにより、オゾン発生装置から発生したオゾンを含んだ冷気がフランジ内を流れ効率良く蓋孔部から保温室ケース内に到達することができる。
【００２１】
請求項７に記載の発明は、請求項１から６のいずれか一項に記載の発明において、蓋孔部はシャッター式で開閉可能としたことにより、オゾン濃度を調節することが出来る。
【００２２】
以下、本発明の実施の形態について、図面を参照しながら説明する。なお、この実施の形態によってこの発明が限定されるものではない。
【００２３】
（実施の形態１）
図１は、本発明の実施の形態１における冷蔵庫の縦断面図を示すものである。
【００２４】
図１において、キャビネット１は、内箱５と外箱６との間に断熱材７が充填された断熱箱体８によって構成された冷蔵庫を示している。冷蔵庫は上から冷蔵室２１、保温室３１、冷凍室４１を有しており、前面は冷蔵室開閉扉２、保温室開閉扉３、冷凍室開閉扉４となっている。
【００２５】
冷蔵室２１と保温室３１は断熱効果を有する仕切り板９によって、保温室３１と冷凍室４１は断熱効果を有する仕切り板１０によって仕切られている。仕切り板１０の奥には、冷凍室４１と繋がるダクト１１が設置されている。
【００２６】
冷蔵室２１内には食品を収納するための冷蔵室棚２２及び、冷蔵室ケース２３が配置されている。また、冷蔵室２１の内箱５背面には、壁面に接してチューブオンシート１９（蒸発器）が配置され、冷蔵室２１庫内はチューブオンシート１９によって冷却される冷却壁面を有する構成となっている。
【００２７】
冷凍室４１内にある冷却室５１は、断熱効果を有する仕切り板４４によって仕切られている。冷却室５１内には、冷凍室ファン５２と蒸発器５３と除霜用ヒーター５４が配置されている。仕切り板４４には、冷凍室ファン５２から吐出された冷気を冷凍室４１内にある食品を収納するための冷凍室ケース４２へ吐出される吐出口４３を構成するとともに、仕切り板１０の奥にある保温室３１へ繋がるダクト１１へ繋がる風路も構成している。
【００２８】
図２は冷凍サイクルの構成図を示すものである。圧縮機６１から吐出された冷媒は、凝縮器６２で凝縮され、三方弁６３にて流路を切り替えている。一方は、キャピラリーチューブ６４で減圧され、チューブオンシート１９、蒸発器５３にて蒸発し、アキュームレーター６６を介して、再度、圧縮機６１へ戻る冷蔵室・冷凍室同時冷却サイクルを構成している。また、他方は、キャピラリーチューブ６５で減圧され、蒸発器５３にて蒸発し、アキュームレーター６６を介して、圧縮機６１へ戻る冷凍室単独冷却サイクルを構成している。したがって、冷蔵室２１は内箱５背面に接しているチューブオンシート１９により冷却され、冷凍室４１は蒸発器５３の蒸発潜熱を冷凍室ファン５２により撹拌し冷却している。
【００２９】
保温室３１内は、食品を収納するための保温室ケース３２があり、背面には機械式ダンパー３４を内部に有したダクト３３が配置されている。ダクト３３には、仕切り板１０の奥にあるダクト１１と接続され、また、機械式ダンパー３４下流側に、保温室３１内へ吐出する吐出口３５が構成されている。
【００３０】
オゾン発生装置７１は、仕切り板９に配置されている。
【００３１】
図３は、保温室ケース３２の構成を表す斜視図である。保温室ケース３２の上部開口部には、蓋孔７１を備えた蓋７２を配し、蓋７２は両側部の下側に保温室ケース３２に対応する位置に下フランジ７３、上側には上フランジ７４を備えている。また、保温室ケース３２の両側面部にはケース孔７５を設けている。そして、蓋孔７１にはスライド機構等によるシャッター７６を備えている。
【００３２】
以上のように構成された冷蔵庫について、以下その動作、作用を説明する。
【００３３】
まず、圧縮機６１が稼動することで、冷媒が圧縮、凝縮、減圧されることによりチューブオンシート１９、蒸発器５３が蒸発潜熱によって冷却される。
【００３４】
チューブオンシート１９おいては、冷蔵室２１の内箱５の背面に接しており、冷蔵室２１の内箱５の背面が冷却壁面となり、冷蔵室２１内の冷蔵室棚２２、冷蔵室ケース２３の冷却を行っている。
【００３５】
一方、冷却室内５１にある蒸発器５３においては、冷凍室ファン５２によって冷気を吐出させ、仕切り板４４内の風路を通過し、吐出口４３より冷凍室ケース４２へ吐出される。吐出した冷気は冷凍室ケース４２と熱交換した後、仕切り板４４下部より吸い込まれる。
【００３６】
さらに、冷凍室ファン５２によって吐出された冷気は仕切り板４４内の風路を通過するが、一部冷気は仕切り板１０の奥にあるダクト１１へ流入し、保温室３１内背面にあるダクト３３へ循環していく。ダクト３３に流入した冷気は、機械式ダンパー３４を通過し、吐出口３５より保温室ケース３２に吐出され、保温室ケース３２と熱交換した後、背面にあるダクト３３より吸い込まれ、冷却室５１へ戻される。このとき、機械式ダンパー３４の感熱部は保温室３１内の温度を検知しており、保温室３１の温度変化により、機械式ダンパー３４の設定温度（動作温度）範囲内で機械式ダンパーを通過する冷気量をコントロールし、保温室３１の温度を一定に保っている。
【００３７】
また、吐出口３５より吐出された冷気は、保温ケース３２を覆う蓋７２と上フランジ７４と仕切り板９との間に構成された空間を流れ、仕切り板９に配置されているオゾン発生装置７０により発生したオゾンは、この冷気に含有され蓋孔７１より保温ケース３２に流れ込む。この時、オゾンを含んだ冷気の一部は、ケース孔７５からも流入する。そして、下フランジ７３により蓋７２と保温ケース３２との隙間がカバーされる。さらに、シャッター７６をスライドさせることにより、蓋孔７１の開口面積を調節することができる。
【００３８】
以上のように、本実施の形態では吐出口３５より吐出された冷気は、保温ケース３２を覆う蓋７２と上フランジ７４と仕切り板９との間に構成された空間を流れ、仕切り板９に配置されているオゾン発生装置７０により発生したオゾンは、この冷気に含有され蓋孔７１より保温ケース３２に流れ込ますことにより、保温ケース３２に収納された野菜等の残留農薬の除去を促進させることができる。そして、吐出口３５より吐出された冷気は比較的低温であり、この雰囲気温度内にオゾン発生装置７０は設置されているので効率的にオゾンを発生させることができる。
【００３９】
さらに、オゾン発生装置７０は固定状態の仕切り板９に配置されているので、安定性した状態で設置され、蓋７２にオゾン発生装置７０を支える強度が必要なく蓋７２の構造簡略化が図れ、蓋７２の取付け組立性、及び蓋７２の脱着が容易となるので清掃性を向上させることができる。
【００４０】
また、本実施の形態では、保温ケース３２内の収納物の配置状態により蓋孔７１近傍に収納物を配置され蓋孔７１の開口面積が減少したとしても、ケース孔７５からオゾンを含んだ冷気を流入させることができる。
【００４１】
また、本実施の形態では、下フランジ７３により蓋７２と保温ケース３２の密閉度が向上し、保温ケース３２内の温度変化を抑制させることができ、収納食品の安定保存が可能となる。
【００４２】
また、本実施の形態のシャッター７６を操作させることにより蓋孔７１の開口面積を自在に調整することができるので、保温ケース３２に流入するオゾン濃度を調整することが可能である。例えば、保温ケース３２内に野菜等の残留農薬除去の必要性のない飲料物や加工食品のみを収納する場合には、オゾンを保温ケース３２に流入させなくてもよいので、シャッター７６を操作し、蓋孔７１を閉じて保温ケース３２の密閉性を高めれば、保温ケース３２内の温度変化を抑制させることができる。
【産業上の利用可能性】
【００４３】
以上のように、本発明による冷蔵庫は、保温ケースに収納された野菜等の残留農薬の除去を促進させることができ、比較的低温である雰囲気温度内にオゾン発生装置が設置されているので効率的なオゾン発生が可能となるので、冷蔵庫以外の冷凍機器等の用途にも適用できる。
【図面の簡単な説明】
【００４４】
【図１】本発明の実施の形態１における冷蔵庫の縦断面図
【図２】本発明の実施の形態１における冷凍サイクルの構成図
【図３】本発明の実施の形態１における保温ケースの斜視図
【図４】従来技術における冷蔵庫の縦断面図
【符号の説明】
【００４５】
９    仕切り板
１１、３３  ダクト
２１  冷蔵室
３１  保温室
３２  保温室ケース
３４  機械式ダンパー
３５  吐出口（保温室用）
７０  オゾン発生装置
７１  蓋孔
７２  蓋
７３  下フランジ
７４  上フランジ
７５  ケース孔
７６  シャッター
【図１】
2010054092.tif 000003
【図２】
2010054092.tif 000004
【図３】
2010054092.tif 000005
【図４】
2010054092.tif 000006